(57)【要約】【課題】　フォーマットとスクランブル方式が異なるデジタルディスクを選択的に再生可能にする。フォーマットとスクランブル方式が異なるデジタルディスクから再生されて転送されてきたデータを媒体に記録可能にする。【解決手段】　ＤＶＤビデオディスクプレーヤとして使用される場合に静止画パック／Ｖパックデコーダ３によりデコードされたＤＶＤストリームデータがインタフェース７を介して外部機器に転送され、ＤＶＤオーディオディスクプレーヤとして使用される場合にＡパック／ＲＴＩパックデコーダ８によりデコードされたＤＶＤストリームデータがインタフェース１３を介して外部機器に転送される。【選択図】　　　　図５
2004047117.tif 000002
【特許請求の範囲】
【請求項１】
　ＤＶＤディスク・ビデオ規格の第１の所定のフォーマットでフォーマット化され第１のビデオパック（Ｖパック）と第１のオーディオパックを含むデータをデコードする第１のデコード手段と、
　ＤＶＤディスク・オーディオ規格の第２の所定のフォーマットでフォーマット化され第２のビデオパック（静止画パック）と第２のオーディオパックを含むデータをデコードする第２のデコード手段と、
　所定のストリームデータをパケット化して外部機器に転送し、また外部から転送されたパケット化された所定のストリームデータを受信するためのシリアルインタフェースと、
　前記第１の所定のフォーマットでフォーマット化され第１のビデオパック（Ｖパック）と第１のオーディオパックからなるデータのディスクプレーヤとして使用される場合には前記第１のデコード手段を選択的に駆動して前記第１のデコード手段によりデコードされたストリームデータが第１のモード（ビデオ）により前記インタフェースを介して外部機器に転送されるように制御し、前記第２の所定のフォーマットでフォーマット化され第２のビデオパック（静止画パック）と第２のオーディオパックからなるデータのディスクプレーヤとして使用される場合には前記第２のデコード手段を選択的に駆動して前記第２のデコード手段によりデコードされたストリームデータが第２のモード（オーディオモード）により前記シリアルインタフェースを介して外部機器に転送されるように制御する第１の制御手段と、
　第１のモードのストリームデータをＤＶＤディスク記録規格の所定のフォーマットでフォーマット化する第１のエンコード手段と、
　第２のモードのストリームデータをＤＶＤディスク記録規格の所定のフォーマットでフォーマット化する第２のエンコード手段と、
　前記ＤＶＤディスク記録規格の所定のフォーマットでフォーマット化された第１のモードのストリームデータを記録する装置として使用される場合に前記インタフェースを介して受信したストリームデータが前記第１のエンコード手段によりフォーマット化されて記録媒体に記録され、前記ＤＶＤディスク記録規格の所定のフォーマットでフォーマット化された第２のモードのストリームデータを記録する装置として使用される場合に前記インタフェースを介して受信したストリームデータが前記第２のエンコード手段によりフォーマット化されて記録媒体に記録されるように制御する第２の制御手段とを、
　備えたデジタル記録再生装置。
【請求項２】
　前記第１の制御手段は、前記第１の所定のフォーマットでフォーマット化され第１のビデオパック（Ｖパック）と第１のオーディオパックからなるデータのディスクプレーヤとして使用される場合は前記第１のモードにより前記第１の所定のフォーマットのコピー管理情報を付加して転送すると共に前記パケットにビデオモード識別フラグを付加し、前記第２の所定のフォーマットでフォーマット化され第２のビデオパック（静止画パック）と第２のオーディオパックからなるデータのディスクプレーヤとして使用される場合は前記第２のモードにより前記第２の所定のフォーマットのコピー管理情報を付加すると共に前記パケットにオーディオモード識別フラグを付加して転送することを特徴とする請求項１記載のデジタル記録再生装置。
【発明の詳細な説明】
【技術分野】
【０００１】
　本発明は、デジタル記録装置及びデジタル記録再生装置に関する。
【背景技術】
【０００２】
　この種の従来例として、例えば特開平１０−７４３６２号公報に示されるように、ＤＶＤストリームデータをＩＥＥＥ１３９４規格のシリアルインタフェースを介して転送する場合の不正コピー防止方法、再生装置及び記録装置が提案されている。また、他の従来例としては、例えば特開平１０−１３４５０７号公報に示されるように、コンピュータのようにコピーマネージメントを操作することが可能なデジタル記録機器がデジタルコンテンツ情報を不法にコピーしないように、デジタルコンテンツ情報とその著作権情報（ＣＧＭＩ）をＩＥＥＥ１３９４規格のシリアルインタフェースを介して転送する方法が提案されている。
【発明の開示】
【発明が解決しようとする課題】
【０００３】
　ところで、近年、ＤＶＤ（デジタル・ビデオ・ディスク、デジタル・バーサタイル・ディスク）として、映画などのビデオコンテンツが主として記録されるＤＶＤビデオディスクと、音楽などのオーディオコンテンツが主として記録されるＤＶＤオーディオディスクが規格化されている。しかしながら、この２種類のディスクは規格が全く異なるので、両方を再生可能なユニバーサルプレーヤが望まれている。
【０００４】
　また、このユニバーサルプレーヤがＤＶＤビデオディスク又はＤＶＤオーディオディスクを選択的に再生して、そのデータをＩＥＥＥ１３９４規格などのシリアルインタフェースを介して転送し、デジタル記録装置がそのデータを他の媒体、例えばＤＶＤ−ＲＡＭディスクに記録可能なデジタル記録装置が望まれている。また、ＤＶＤビデオディスクとＤＶＤオーディオディスクではコピー防止システム（スクランブル方式）が異なるので、混乱を招く可能性がある。
【０００５】
　そこで、本発明は、フォーマットとスクランブル方式が異なるデジタルディスクを選択的に再生することができるとともに、フォーマットとスクランブル方式が異なるデジタルディスクから再生され、転送されてきたデータを他の媒体に記録することができるデジタル記録再生装置を提供することを目的とする。
【課題を解決するための手段】
【０００６】
　本発明は上記目的を達成するために、以下の１）及び２）の手段よりなる。
　すなわち、
１）ＤＶＤディスク・ビデオ規格の第１の所定のフォーマットでフォーマット化され第１のビデオパック（Ｖパック）と第１のオーディオパックを含むデータをデコードする第１のデコード手段と、
　ＤＶＤディスク・オーディオ規格の第２の所定のフォーマットでフォーマット化され第２のビデオパック（静止画パック）と第２のオーディオパックを含むデータをデコードする第２のデコード手段と、
　所定のストリームデータをパケット化して外部機器に転送し、また外部から転送されたパケット化された所定のストリームデータを受信するためのシリアルインタフェースと、
　前記第１の所定のフォーマットでフォーマット化され第１のビデオパック（Ｖパック）と第１のオーディオパックからなるデータのディスクプレーヤとして使用される場合には前記第１のデコード手段を選択的に駆動して前記第１のデコード手段によりデコードされたストリームデータが第１のモード（ビデオ）により前記インタフェースを介して外部機器に転送されるように制御し、前記第２の所定のフォーマットでフォーマット化され第２のビデオパック（静止画パック）と第２のオーディオパックからなるデータのディスクプレーヤとして使用される場合には前記第２のデコード手段を選択的に駆動して前記第２のデコード手段によりデコードされたストリームデータが第２のモード（オーディオモード）により前記シリアルインタフェースを介して外部機器に転送されるように制御する第１の制御手段と、
　第１のモードのストリームデータをＤＶＤディスク記録規格の所定のフォーマットでフォーマット化する第１のエンコード手段と、
　第２のモードのストリームデータをＤＶＤディスク記録規格の所定のフォーマットでフォーマット化する第２のエンコード手段と、
　前記ＤＶＤディスク記録規格の所定のフォーマットでフォーマット化された第１のモードのストリームデータを記録する装置として使用される場合に前記インタフェースを介して受信したストリームデータが前記第１のエンコード手段によりフォーマット化されて記録媒体に記録され、前記ＤＶＤディスク記録規格の所定のフォーマットでフォーマット化された第２のモードのストリームデータを記録する装置として使用される場合に前記インタフェースを介して受信したストリームデータが前記第２のエンコード手段によりフォーマット化されて記録媒体に記録されるように制御する第２の制御手段とを、
　備えたデジタル記録再生装置。
　２）前記第１の制御手段は、前記第１の所定のフォーマットでフォーマット化され第１のビデオパック（Ｖパック）と第１のオーディオパックからなるデータのディスクプレーヤとして使用される場合は前記第１のモードにより前記第１の所定のフォーマットのコピー管理情報を付加して転送すると共に前記パケットにビデオモード識別フラグを付加し、前記第２の所定のフォーマットでフォーマット化され第２のビデオパック（静止画パック）と第２のオーディオパックからなるデータのディスクプレーヤとして使用される場合は前記第２のモードにより前記第２の所定のフォーマットのコピー管理情報を付加すると共に前記パケットにオーディオモード識別フラグを付加して転送することを特徴とする請求項１記載のデジタル記録再生装置。
【発明の効果】
【０００７】
以上説明したように本発明によれば、フォーマットとコピー防止方式が異なるＤＶＤディスクの２種規格の中のいずれのデータであっても適切なモードで転送されＤＶＤディスク記録規格の２種類から他の媒体に選択的に記録可能とすることができる。
　また、それぞれのモードに対応しコピー管理情報を転送先で管理可能とすることができる。
【発明を実施するための最良の形態】
【０００８】
　以下、図面を参照して本発明の実施の形態を説明する。図１はＤＶＤのフォーマットを示す説明図、図２は図１のコントロールデータブロックを詳細に示す説明図、図３は図２のフィジカル・フォーマット・インフォメーションを詳細に示す説明図、図４は本発明に適用されるデジタルディスクプレーヤとデジタル記録装置の一実施形態を示すブロック図、図５は図４のデジタルディスクプレーヤを詳しく示すブロック図、図６は図４、図５のデジタルディスクプレーヤの処理を説明するためのフローチャート、図７は図４のデジタル記録装置を詳しく示すブロック図、図８は図４、図７のデジタル記録装置がオーディオ専用又はビデオ専用の場合の処理を説明するためのフローチャート、図９は図４、図７のデジタル記録装置がオーディオ及びビデオ兼用の場合の処理を説明するためのフローチャートである。
【０００９】
　ＤＶＤの記録エリアは、図１に示すように概略的にリードインエリアとデータエリアにより構成されている。また、ＤＶＤのリードインエリアは
・リードインスタートからセクタ番号「０２Ｆ０００ｈ」の前までのオール００ｈのブロックと、
・セクタ番号「０２Ｆ０００ｈ」からセクタ番号「０２Ｆ０２０ｈ」の前までの２ブロック分のリファレンスコードブロックと、
・セクタ番号「０２Ｆ０２０ｈ」からセクタ番号「０２Ｆ２００ｈ」の前までの３０ブロック分のオール００ｈのブロックと、
・セクタ番号「０２Ｆ２００ｈ」からセクタ番号「０２ＦＥ００ｈ」の前までの１９２ブロック分のコントロールデータブロックと、
・セクタ番号「０２ＦＥ００ｈ」からセクタ番号「０３００００ｈ」の前までの３２ブロック分のオール００ｈのブロックにより構成されている。
【００１０】
　また、データエリアの先頭（セクタ番号「０３００００ｈ」）からはＩＳＯ９６６０とマイクロＵＤＦ（ユニバーサル・ディスク・フォーマット）のデータが記録され、次にオーディオタイトルセット（ＴＳ）、ビデオＴＳ、コンピュータＴＳを含む各タイトルセット（ＴＳ）などが記録される。
【００１１】
　上記のリードインエリアにおけるコントロールデータブロックは図２に示すように、
・フィジカル・フォーマット・インフォメーションのセクタと、
・ディスク製造インフォメーションのセクタと、
・著作権インフォメーションのセクタにより構成されている。著作権インフォメーションのエリアには、コピー管理情報として「コピー不可」、「コピー１回可」、「コピー可」などを示すコピーフラグが記録される。また、フィジカル・フォーマット・インフォメーションのセクタは図３に詳しく示すように、
・ブックタイプ及びパートバージョンのエリアと、
・ディスクサイズ及びミニマムリードアウトレートのエリアと、
・ディスク構造のエリアと、
・記録密度のエリアと、
・データエリアアロケーションのエリアなどにより構成されている。
【００１２】
　そして、ブックタイプ及びパートバージョンのエリアはディスク識別子として割り当てられ、その上位ビットにより、
・「ＤＶＤ−ＲＯＭディスク」か、
・「ＤＶＤ−ＲＡＭディスク」か又は
・「ＤＶＤ−ライトワンス（Write Once）ディスク」かが示され、さらに「ＤＶＤ−ＲＯＭディスク」の場合には、下位ビットにより
・「コンピュータプログラム・ディスク」か、
・「純粋ビデオ・ディスク」か、
・「オーディオ・ディスク」か又は
・「ＤＳＤオーディオ・ディスク」かを示す識別子が記述される。
【００１３】
　ユニバーサルプレーヤ１００と記録装置２００は、図４に示すようにＩＥＥＥ１３９４規格やＩＥＣ９５８規格などのシリアルインタフェースを介して接続される。ユニバーサルプレーヤ１００では図５に詳しく示すように、制御部１４の制御及び操作部１５、リモコン１６の操作に基づいてＤＶＤビデオディスク、ＤＶＤオーディオディスクなどのディスク１に記録されているデータがドライブ装置２により再生され、次いで復調回路２Ｂにより復調される。ＤＶＤビデオディスクから再生されたビデオ（Ｖ）パックとＤＶＤオーディオディスクから再生された静止画パックは、静止画／Ｖパックデコーダ３によりＤＶＤデコードされてビデオストリームに変換される。このビデオストリームは元々、ＣＳＳ（コンテンツ・スクランブル・システム）方式でスクランブルされている。
【００１４】
　そして、図４に示す出力端子５５を介して外部の表示器（不図示）に表示させる場合には、このビデオストリームが伸長／画像変換部４により伸長、デスクランブルなどされ、次いでＤ／Ａ変換器５を介してＶパックはビデオ信号として、静止画パックはサブピクチャ信号として出力される。他方、記録装置２００に転送する場合には２通りあり、第１の方法では、伸長／画像変換部４により伸長、デスクランブルなどされたデータがスクランブラ６によりＣＳＳ方式でスクランブルされ、次いでデータ転送Ｉ／Ｆ７を介して記録装置２００に転送される。第２の方法では、静止画／Ｖパックデコーダ３によりデコードされたスクランブル付きのビデオストリームがデータ転送Ｉ／Ｆ７を介して記録装置２００に転送される。
【００１５】
　また、ＤＶＤビデオディスク、ＤＶＤオーディオディスクから再生されたオーディオパック（Ａパック）と、ＤＶＤオーディオディスクから再生されたリアルタイムインフォメーションパック（ＲＴＩパック）は、Ａパック／ＲＴＩパックデコーダ８によりＤＶＤデコードされてＤＶＤオーディオストリームとＲＴＩに変換される。このＤＶＤオーディオストリームは元々、ＣＳＳII方式でスクランブルされている。
【００１６】
　そして、オーディオ信号を出力端子５５を介して外部のスピーカを介して出力する場合には、このオーディオストリームがＰＣＭ変換／オーディオ信号処理部９によりＰＣＭ変換、デスクランブルなどされてＰＣＭ信号に変換され、次いでＤ／Ａ変換器１０を介して出力される。また、ＲＴＩを外部の表示器（不図示）に表示させる場合には、ＲＴＩが表示信号生成部１１により文字情報に変換されて出力される。他方、記録装置２００に転送する場合にもビデオの場合と同様に２通りあり、第１の方法では、ＰＣＭ変換／オーディオ信号処理部９によりＰＣＭ変換、デスクランブルなどされたＰＣＭ信号がスクランブラ１２によりＣＳＳII方式でスクランブルされ、次いでデータ転送Ｉ／Ｆ１３を介して記録装置２００に転送される。第２の方法では、Ａパック／ＲＴＩパックデコーダ８によりデコードされてスクランブル付きのＤＶＤオーディオストリームがデータ転送Ｉ／Ｆ１３を介して記録装置２００に転送される。
【００１７】
　ユニバーサルプレーヤ１００はディスクを再生する場合、図３に示すディスク識別子に基づいて、図６に示すように再生ディスクがオーディオディスク（ＤＶＤオーディオディスク又はＤＳＤオーディオディスク）か否かを判断し（ステップＳ１）、オーディオディスクの場合にはシリアルインタフェースをオーディオモードに設定し（ステップＳ２）、次いでオーディオディスクの再生モードに移行する（ステップＳ３）。そして、この再生中にはディスクから再生したオーディオ信号と静止画信号（ＤＳＤオーディオディスクの場合にはオーディオ信号のみ）をシリアルインタフェースを介して出力し、また、オーディオモード識別フラグ、コピーフラグを追加して出力する。コピーフラグはディスク１に記録されている「コピー不可」、「コピー１回可」、「コピー可」などを示すコピー管理情報である。
【００１８】
　また、ステップＳ１においてオーディオディスクでない場合にはビデオディスクか否かを判断し（ステップＳ４）、ビデオディスクの場合にはシリアルインタフェースをビデオモードに設定し（ステップＳ５）、次いでビデオディスクの再生モードに移行する（ステップＳ６）。そして、この再生中にはディスクから再生したビデオ信号とオーディオ信号をシリアルインタフェースを介して出力し、また、ビデオモード識別フラグ、コピーフラグを追加して出力する。
【００１９】
　また、ステップＳ４においてビデオディスクでない場合にはＲＡＭディスク又はＤＶＤ−ライトワンスディスクか否かを判断し（ステップＳ７）、ＲＡＭディスク又はＤＶＤ−ライトワンスディスクの場合には、ＤＶＤオーディオフォーマットで記録されているディスクか否かを判断する（ステップＳ８）。そして、ＹＥＳの場合には前述したステップＳ２に進み、シリアルインタフェースをオーディオモードに設定し、次いでディスクを再生する（ステップＳ３）。また、ステップＳ８においてＮＯの場合にはＤＶＤビデオフォーマットで記録されているディスクか否かを判断する（ステップＳ９）。そして、ＹＥＳの場合には前述したステップＳ５に進み、シリアルインタフェースをビデオモードに設定し、次いでディスクを再生する（ステップＳ６）。ステップＳ７、Ｓ９においてＮＯの場合にはこの処理を終了する。
【００２０】
　次に図７を参照して記録装置２００について説明する。ユニバーサルプレーヤ１００により転送されたデータは、データ転送Ｉ／Ｆ２１を介して受信される。なお、データ転送Ｉ／Ｆ２１と、ＤＶＤフォーマット化部２２とデスクランブラ２７には、ユニバーサルプレーヤ１００により転送されたモード識別フラグに基づいて制御部３０によりビデオモード又はオーディオモードが設定される。そして、スクランブル付きのデータを媒体２６、例えばＤＶＤ−ＲＡＭディスク２６に記録する場合には、この受信データがＤＶＤフォーマット化部２２によりＤＶＤビデオ規格又はＤＶＤオーディオ規格でフォーマット化され、次いでそのまま変調回路２３に送られたり、バッファ記録部２４に一旦記録された後に変調回路２３に送られる。変調回路２３では媒体に応じた方式で変調され、次いで変調データがドライブ装置２５に送られて例えばＤＶＤ−ＲＡＭディスク２６に記録される。
【００２１】
　他方、デスクランブルしたデータをＤＶＤ−ＲＡＭディスク２６に記録する場合には、デスクランブラ２７により受信データの内、ビデオストリームがＣＳＳ方式でデスクランブルされ、また、オーディオデータがＣＳＳII方式でデスクランブルされる。次いでビデオストリームはＤＶＤビデオエンコーダ２８により圧縮エンコードされてＤＶＤフォーマット化部２２に送られ、また、静止画データは圧縮エンコーダ２９により圧縮エンコードされてＤＶＤフォーマット化部２２に送られる。また、オーディオデータと著作権情報／及びリアルタイムテキスト情報はそのままＤＶＤフォーマット化部２２に送られ、また、制御情報は制御部３０に送られる。
【００２２】
　図８は記録装置２００がオーディオ専用又はビデオ専用の場合の記録処理を示している。まず、ステップＳ１１においてオーディオ専用の記録装置２００は、受信したパケットのヘッダ情報に基づいて、その受信パケットがオーディオディスクモードで配列及びスクランブルされているか否かを判断することにより、コピーフラグを処理可能か否かを判断し、また、ビデオ専用の記録装置２００は、受信したパケットのヘッダ情報に基づいて、その受信パケットがビデオディスクモードで配列及びスクランブルされているか否かを判断することにより、コピーフラグを処理可能か否かを判断する。
【００２３】
　そして、オーディオ専用、ビデオ専用の記録装置２００はともに、コピーフラグを処理可能でない場合には「記録不可」の処理を実行し（ステップＳ１３）、他方、処理可能の場合には「コピー可能」か否かを判断する（ステップＳ１２）。そして、「コピー可能」の場合には「記録処理」を実行し（ステップＳ１４）、他方、「コピー可能」でない場合には「記録不可」の処理を実行する（ステップＳ１３）。
【００２４】
　図９はＤＶＤオーディオディスクデータとＤＶＤビデオディスクデータの両方を記録可能なユニバーサル記録装置２００の記録処理を示している。まず、受信したパケットのヘッダ情報に基づいて、その受信パケットがオーディオディスクモードで配列及びスクランブルされているか否かを判断することにより、ＤＶＤオーディオディスク規格か否かを判断する（ステップＳ２１）。そして、ＤＶＤオーディオディスク規格の場合にはコピーフラグが「コピー可能」か否かを判断し（ステップＳ２２）、「コピー可能」の場合には「記録処理」を実行し（ステップＳ２６）、他方、「コピー可能」でない場合には「記録不可」の処理を実行する（ステップＳ２５）。
【００２５】
　ステップＳ２１においてオーディオディスクでない場合には、受信したパケットのヘッダ情報に基づいて、その受信パケットがビデオディスクモードで配列及びスクランブルされているか否かを判断することにより、ＤＶＤビデオディスク規格か否かを判断する（ステップＳ２３）。そして、ＤＶＤビデオディスク規格の場合にはコピーフラグが「コピー可能」か否かを判断し（ステップＳ２２）、「コピー可能」の場合には「記録処理」を実行し（ステップＳ２６）、他方、「コピー可能」でない場合には「記録不可」の処理を実行する（ステップＳ２５）。
【００２６】
　ステップＳ２３においてビデオディスクでない場合には、受信したパケットのヘッダ情報に基づいて、その受信パケットがＤＶＤ−ＲＡＭディスク又はＤＶＤ−ライトワンスディスクか否かを判断し（ステップＳ２４）、ＲＡＭディスク又はＤＶＤ−ライトワンスディスク規格の場合にはコピーフラグが「コピー可能」か否かを判断し（ステップＳ２２）、「コピー可能」の場合には「記録処理」を実行し（ステップＳ２６）、他方、「コピー可能」でない場合には「記録不可」の処理を実行する（ステップＳ２５）。ステップＳ２４においてＤＶＤ−ＲＡＭディスクでもＤＶＤ−ライトワンスディスクでもない場合にはこの処理を終了する。
【００２７】
　図１０は図５に示したデジタルディスクプレーヤと図７に示した記録装置を組み合わせたデジタル記録再生装置の構成を示し、コピー先の記録媒体としてはＤＶＤ−ＲＡＭディスクが使用される。図１１はその処理を示し、まず、システムイニシャライズを行い（ステップＳ３１）、次いで設定モードを判定する。そして、ステップＳ３２において再生モードの場合には図６に示したステップＳ１に分岐し、ステップＳ３３において記録モードの場合には図８に示したステップＳ１１又は図９に示したステップＳ２１に分岐し、また、ステップＳ３４においてクリーニングモードの場合には、セットされているディスクを回転させてディスク上のほこりを落とす（ステップＳ３５）。
【００２８】
　なお、上記実施形態では、シリアルインタフェースとしてＩＥＥＥ１３９４規格やＩＥＣ９５８規格を例にしたが、代わりにパーソナルコンピュータ用の双方向の汎用バスとしてＵＳＢ（ユニバーサル・シリアル・バス）を用いてもよい。このＵＳＢでは、音声データ、画像データ、制御データがフレーム（１ｍｓ）単位でバースト状に転送される。また、図５に示すプレーヤのデコーダ３、８などはＩＣのみならず、例えば動画（２０コマ／秒）を処理可能な高速のＣＰＵがデコードプログラムを処理することによっても実現することができる。
【図面の簡単な説明】
【００２９】
【図１】ＤＶＤのフォーマットを示す説明図である。
【図２】図１のコントロールデータブロックを詳細に示す説明図である。
【図３】図２のフィジカル・フォーマット・インフォメーションを詳細に示す説明図である。
【図４】本発明に適用されるデジタルディスクプレーヤとデジタル記録装置の一実施形態を示すブロック図である。
【図５】図４のデジタルディスクプレーヤを詳しく示すブロック図である。
【図６】図４、図５のデジタルディスクプレーヤの処理を説明するためのフローチャートである。
【図７】図４のデジタル記録装置を詳しく示すブロック図である。
【図８】図４、図７のデジタル記録装置がオーディオ専用又はビデオ専用の場合の処理を説明するためのフローチャートである。
【図９】図４、図７のデジタル記録装置がオーディオ及びビデオ兼用の場合の処理を説明するためのフローチャートである。
【図１０】本発明に適用されるデジタル記録再生装置の一実施形態を示すブロック図である。
【図１１】図１０のデジタル記録再生装置の処理を説明するためのフローチャートである。
【符号の説明】
【００３０】
　３　静止画パック／Ｖパックデコーダ（第１のデコード手段）
　６　スクランブラ（第１のスクランブル手段）
　７，１３，２１　データ転送Ｉ／Ｆ（インタフェース）
　８　Ａパック／ＲＴＩパックデコーダ（第２のデコード手段）
　１２　スクランブラ（第２のスクランブル手段）
　１４，３０　制御部（制御手段）
　２３　ＤＶＤフォーマット化手段（第１、第２のエンコード手段）
　２７　デスクランブラ（第１、第２のデスクランブル手段）
【図１】
2004047117.tif 000003
【図２】
2004047117.tif 000004
【図３】
2004047117.tif 000005
【図４】
2004047117.tif 000006
【図５】
2004047117.tif 000007
【図６】
2004047117.tif 000008
【図７】
2004047117.tif 000009
【図８】
2004047117.tif 000010
【図９】
2004047117.tif 000011
【図１０】
2004047117.tif 000012
【図１１】
2004047117.tif 000013